(57)【要約】【課題】呼出信号の着信、メール受信、不在着信、留守録音等のイベントの発生を高い認識率をもって確認し得る携帯端末装置を提供する。【解決手段】呼出信号の着信を報知する着信報知用ＬＥＤ７と、メール受信、不在着信、留守録音等のイベントの発生に対して未応答であることを報知する未応答報知用ＬＥＤ８とを備えてなるものであり、着信報知用ＬＥＤ７と未応答報知用ＬＥＤ８とを別個に設けて、呼出信号の着信とイベントの発生とをそれぞれのＬＥＤにて確認し得るように構成したことを特徴とする。また、着信報知用ＬＥＤ７は、充電状態も報知するように構成されているものである。【選択図】図１
2007228637.tif 000002
【特許請求の範囲】
【請求項１】
第一の筐体と第二の筐体とが互いに開閉自在に連結され、
前記第一、第二の筐体のいずれか一方の、互いの筐体を閉じたときに外側となる面に、呼出信号の着信を報知する着信報知用ＬＥＤと、イベントの発生に対して未応答であることを報知する未応答報知用ＬＥＤと、が設けられていることを特徴とする携帯端末装置。
【請求項２】
請求項１に記載の携帯端末装置において、
前記第一、第二の筐体の少なくとも一方の、互いの筐体を閉じたときに内側となる面に操作部が設けられ、
前記操作部により、前記イベントの内容を確認する操作が行われると、前記未応答報知用ＬＥＤの未応答時の点灯を消灯することを特徴とする携帯端末装置。
【請求項３】
請求項１または２に記載の携帯端末装置において、
前記未応答報知用ＬＥＤは、前記呼出信号の着信時に前記未応答の報知に代えて着信を報知することを特徴とする携帯端末装置。
【請求項４】
請求項１から３のいずれか一項に記載の携帯端末装置において、
前記未応答報知用ＬＥＤの点灯パターンについて、前記未応答であることを報知する点灯パターンと前記着信を報知する点灯パターンとが異なることを特徴とする携帯端末装置。
【請求項５】
請求項１から４のいずれか一項に記載の携帯端末装置において、
前記未応答報知用ＬＥＤの前記未応答の状態にあるときの未応答点灯パターンが、間歇的に点灯する点滅パターンに設定されていることを特徴とする携帯端末装置。
【請求項６】
請求項５に記載の携帯端末装置において、
前記イベントの発生を検出してからの経過時間を計測し、この計測結果に基づいて、前記点滅パターンを他の点滅パターンに変更することを特徴とする携帯端末装置。
【請求項７】
請求項１から６のいずれか一項に記載の携帯端末装置において、
発呼者を識別し、この識別結果に基づいて前記未応答報知用ＬＥＤのオン・オフを制御することを特徴とする携帯端末装置。
【発明の詳細な説明】
【技術分野】
【０００１】
この発明は、呼出信号の着信を報知する着信報知用等の報知用ＬＥＤを備えた携帯端末装置に関する。
【背景技術】
【０００２】
携帯端末装置のうち、例えば携帯電話機においては、呼出信号を着信したり、メール信号を受信したりした場合に、その着信、受信を各種の手段により電話機に表示することが行われている。  
即ち、一般的には、呼出信号の着信やメール信号を受信した場合に、この受信、着信を着信ＬＥＤで表示し、通話ボタンを押さない場合にこの着信、受信を液晶表示部に表示するようにしている。
【０００３】
この場合、近年広く普及しているフォルダータイプの電話機、即ち一対の筐体を折り畳み自在に連結したいわゆる折り畳み形式の携帯電話機にあっては、前記受信、着信を表示する液晶表示部を、一方の筐体の内面側に設ける一方、折り畳んだ筐体のいずれか一方の外面にも設けるものが提案されている。
【発明の開示】
【発明が解決しようとする課題】
【０００４】
ところで、上記の携帯電話機においては、着信、受信の爾後それを確認する場合に、特に折り畳み形式の電話機の場合筐体を開かなければ確認ができないという問題があった。
【０００５】
この場合、折り畳んだ筐体の外面に液晶表示部を有するものにおいても、表示の積極的な確認作業が必要であるという問題があり、いずれにしても着信、受信についてユーザーの認識率が高く得られないという問題があった。
【０００６】
この発明は、このような事情を考慮してなされたもので、その目的は、呼出信号の着信、メール受信、不在着信、留守録音等のイベントの発生を高い認識率をもって確認し得る携帯端末装置を提供することにある。
【課題を解決するための手段】
【０００７】
上記の目的を達成するために、本発明は、第一の筐体と第二の筐体とが互いに開閉自在に連結され、前記第一、第二の筐体のいずれか一方の、互いの筐体を閉じたときに外側となる面に、呼出信号の着信を報知する着信報知用ＬＥＤと、イベントの発生に対して未応答であることを報知する未応答報知用ＬＥＤと、が設けられていることを特徴とする。
【０００８】
また、本発明は、前記第一、第二の筐体の少なくとも一方の、互いの筐体を閉じたときに内側となる面に操作部が設けられ、前記操作部により、前記イベントの内容を確認する操作が行われると、前記未応答報知用ＬＥＤの未応答時の点灯を消灯することが好ましい。
【０００９】
また、本発明は、前記未応答報知用ＬＥＤは、前記呼出信号の着信時に前記未応答の報知に代えて着信を報知することが好ましい。
【００１０】
また、本発明は、前記未応答報知用ＬＥＤの点灯パターンについて、前記未応答であることを報知する点灯パターンと前記着信を報知する点灯パターンとが異なることが好ましい。
【００１１】
また、本発明は、前記未応答報知用ＬＥＤの前記未応答の状態にあるときの未応答点灯パターンが、間歇的に点灯する点滅パターンに設定されていることが好ましい。
【００１２】
また、本発明は、前記イベントの発生を検出してからの経過時間を計測し、この計測結果に基づいて、前記点滅パターンを他の点滅パターンに変更することが好ましい。
【００１３】
また、本発明は、発呼者を識別し、この識別結果に基づいて前記未応答報知用ＬＥＤのオン・オフを制御することが好ましい。
【発明の効果】
【００１４】
本発明によれば、呼出信号の着信を着信報知用ＬＥＤによって知ることができる一方、メール等のイベントの発生に対する未応答を未応答報知用ＬＥＤによって知ることができ、液晶表示部等に比較して当該着信、受信を高い認識率をもって確認することができるという効果が得られる。また、いわゆる折り畳み形式の携帯端末装置の一方の筐体に着信報知用ＬＥＤと前記未応答報知用ＬＥＤとが設けられているので、一方の筐体を目視することによって、着信報知用ＬＥＤと未応答報知用ＬＥＤとの表示を確認することができるので、表示の確認が容易にできるという効果が得られる。
【発明を実施するための最良の形態】
【００１５】
以下、図面を参照し、この発明の一実施の形態について説明する。  
ここで説明する実施の形態は、この発明を携帯電話機に適用した場合のものである。  
図１、図２において、この実施の形態に係る携帯電話機１（携帯端末装置）は、第一の筐体２と第二の筐体３とをヒンジ部４により折り畳み自在に連結したもので、いわゆる折り畳み形式の携帯電話機である。
【００１６】
筐体２には、その内面側に通話キー、終話キー、テンキー等の各種操作キーからなる操作部５が設けられており、筐体３の内面側には液晶表示部６が設けられている。
【００１７】
筐体３の外面３Ａには、呼出信号の着信を表示する着信報知用ＬＥＤ７とイベント信号の未応答を表示する未応答報知用ＬＥＤ８とが離間した配置により別個の表示部として設けられている。
【００１８】
即ち、外面３Ａの下端部には、着信報知用ＬＥＤ７が設けられ、上端部寄りに未応答報知用ＬＥＤ８が設けられている。
【００１９】
なお、図において符号９は筐体３の上端部に設けられたアンテナである。
【００２０】
図３は、携帯電話機１の構成を示すブロック図である。
【００２１】
この図３において、符号１０は回路各部を制御するＣＰＵ（中央処理装置）、１１はＣＰＵ１０のプログラムが記憶されたＲＯＭ（リードオンリメモリ）、データ記憶用のＲＡＭ（ランダムアクセスメモリ）を含む記憶部、１２は電池への充電を行う充電部である。  
符号１３は、前記アンテナ９を有する通信部であり、送信信号を搬送波に乗せてアンテナ９から送信し、またアンテナ９を介して着信した呼出信号を復調し、これらをＣＰＵ１０、着信報知用ＬＥＤ７に出力する。  
ＣＰＵ１０は、使用者に報知しなければならないイベントが発生した場合に、即ち、呼出信号を着信した後にその着信に応答しなかった場合（不在着信）、メールを受信した場合、留守録音がなされた場合等に、これらを検出してイベント信号を出力する。
【００２２】
符号１５は、報知チャネルスキャニング部であり、この携帯電話機１が基地局１６からの間歇的な信号を受信することにより呼出や各種制御情報を取得するものである。  
符号１７は、イベント信号を検出してからの経過時間をタイマー１８によって計測し、この計測結果に基づいて未応答報知用ＬＥＤ８の消灯時間（詳細は後述する）を変更する消灯時間変更制御部である。  
符号１９は、未応答報知用ＬＥＤ８の未応答時の点灯を、イベント内容を確認したときの確認操作に基づき消灯するオン・オフ制御部である。  
このオン・オフ制御部１９は、未応答報知用ＬＥＤ８の点灯を、マニュアル操作に基づいて消灯する消灯キー２０を備えている。
【００２３】
また、符号２１は、発呼者を識別し、この識別結果に基づいて未応答報知用ＬＥＤ８のオン・オフを制御する識別制御部である。  
着信報知用ＬＥＤ７、未応答報知用ＬＥＤ８は、各種動作状況に応じた点灯パターンを含む点灯、消灯動作がＣＰＵ１０により次のように制御されるようになっている。
【００２４】
まず、着信報知用ＬＥＤ７は、着信時の点灯パターンが点滅パターンであり、色彩が例えば赤である。  
また、充電時の点灯パターンは常時点灯パターン、かつ色彩が赤であり、充電終了時に色彩が緑となる。
【００２５】
未応答報知用ＬＥＤ８は、イベントの発生に対して未応答である場合の未応答点灯パターンが着信報知用ＬＥＤ７の点灯パターンと異なるパターンとされている。  
この場合のパターンは、間歇的に点灯する点滅パターン、かつ色彩が例えば赤であるが、着信報知用ＬＥＤ７の点灯パターンと異なっている。  
図４は、未応答報知用ＬＥＤ８の点灯パターンを示すグラフであり、点灯パターンは、点灯時間がＴ１、消灯時間がＴ２とされた点滅パターンである。
【００２６】
この場合の点滅パターンは、基地局１６との間の報知チャネルのスキャニングタイミングと同期して点灯するパターンに設定されている。  
この実施の形態においては、点灯パターンの点灯間隔は報知チャネルのスキャニングタイミングの整数倍に設定されており、前記点灯時間Ｔ１が５０ｍｓｅｃ、消灯時間Ｔ２が２．５６ｓｅｃに設定されている。
【００２７】
また、この未応答報知用ＬＥＤ８は、着信時に未応答の報知に代えて着信も報知するように構成されており、着信時に着信報知用ＬＥＤ７と同一の点灯パターン、即ち点滅タイミング、色彩が同一のパターンをもって点灯するようになっている。  
また、この実施の形態においては、消灯時間変更制御部１７が、イベント信号を検出してから２４時間経過した後に、消灯時間Ｔ２の長さを上記時間より２倍の長さとするようになっている。
【００２８】
上記の構成からなる携帯電話機１において、電話の着信時においては、アンテナ９を介して受信した呼出信号が通信部１３により復調され、これにより得られた着信データがＣＰＵ１０に供給される。  
ＣＰＵ１０は、このデータに含まれる発呼者の電話番号を記憶部１１に記憶させるとともに、着信報知指令を出力し、この着信報知指令に基づいて着信報知用ＬＥＤ７が点灯する。  
点灯パターンは色彩が赤の点滅パターンである。  
ここで、携帯電話機１の使用者が操作部５を操作することにより通話が可能となる。  
この場合、呼出信号の着信時においては、未応答報知用ＬＥＤ８も着信の報知を行うよう構成されているため、この未応答報知用ＬＥＤ８も着信報知用ＬＥＤ７と同一のパターンをもって点灯する。
【００２９】
一方、イベント信号のうち、例えばメールの受信時においては、アンテナ９を介して受信したメールが通信部１３により復調され、これにより得られた受信データがＣＰＵ１０に供給される。  
ＣＰＵ１０は、この受信データに未応答のフラグを付してこれを記憶部１１に記憶させ、更に未応答報知用ＬＥＤ８を点灯させる。  
この場合の未応答報知用ＬＥＤ８の点灯パターンは、色彩が赤であって、図４に示す点灯、消灯パターンをもつ点滅パターンであり、着信時の点灯パターンと異なるものである。
【００３０】
ここで、使用者が未応答報知用ＬＥＤ８の点灯を認識して携帯電話機１を操作した場合には、即ち操作部５を操作してメールを開いた場合には、この確認操作によってＣＰＵ１０が前記記憶部１１に記憶した受信データから未応答のフラグを取り除く。  
これによってオン・オフ制御部１９が未応答報知用ＬＥＤ８をオフ状態にし、未応答報知用ＬＥＤ８が消灯する。  
この動作においてメールが複数入っていた場合には、すべてのメールが開かれた後に未応答報知用ＬＥＤ８がオフとなる。
【００３１】
また、使用者が未応答報知用ＬＥＤ８の点灯に気づかずにメールに対して応答しない場合には、未応答報知用ＬＥＤ８の点滅が継続する。  
この場合、未応答報知用ＬＥＤ８の点滅は、図４に示す点滅パターンとされており、一の点灯時から次ぎの点灯時までの間に時間Ｔ２（２．５６ｓｅｃ）の消灯時間が存在する。  
従って、未応答報知用ＬＥＤ８には間歇的、かつ極短時間（５０ｍｓｅｃ）ずつ電力が供給されることになり、この未応答報知用ＬＥＤ８での電力消費が低いレベルに抑えられる。  
上記の点灯、消灯の時間設定は、間歇的な点灯であっても、点灯時の残像が残るため点灯の確認が確実に行われる。
【００３２】
また、この携帯電話機１は、メールに対する未応答が２４時間経過した場合に、消灯時間変更制御部１７が上記消灯時間Ｔ２を２倍の時間に変更する。  
従って、２４時間経過後においては、より消費電力の節減が図れる。  
また、諸般の事情により未応答報知用ＬＥＤ８を消灯させたい場合には、オン・オフ制御部１９の消灯キー２０を操作することによって消灯させることが可能である。  
また、この携帯電話機１においては、予め操作部５を操作して識別制御部２１を所定の状態に設定することにより、特定の発呼者（送信側機器）からの着信を受信した場合にのみ未応答報知用ＬＥＤ８が動作するようにすることができる。
【００３３】
上記のように、携帯電話機１は、呼出信号の着信を着信報知用ＬＥＤ７によって知ることができる一方、メール等のイベントの未応答を未応答報知用ＬＥＤ８によって知ることができ、液晶表示部等と比較して当該着信、受信を高い認識率をもって確認することができる。  
この際着信報知用ＬＥＤ７と未応答報知用ＬＥＤ８とが別個の表示部として離間して設けられているため、その確認をより確実に行うことができる。  
尚、着信報知用ＬＥＤ７は充電状態報知用ＬＥＤを兼ねているため、電池の充電状態を知ることができる。
【００３４】
また、呼出信号の着信が着信報知用ＬＥＤだけでなく、未応答報知用ＬＥＤによっても表示されるため、着信を高い認識率をもって確認することができる。  
この場合、両ＬＥＤ７、８の点灯パターンが同一であるので、着信であることを確実に認識することができる。
【００３５】
また、イベントに対して未応答の状態にあっては、着信報知用ＬＥＤ７と未応答報知用ＬＥＤ８との点灯パターンが異なっているので、未応答を着信と誤認することなく確認することができる。
【００３６】
また、未応答の状態にあるときの未応答点灯パターンが、間歇的に点灯する点滅パターンに設定されているので、電池の消費電力が少なくて済むという利点がある。
【００３７】
この場合、点滅のタイミングが、基地局との間の報知チャネルのスキャニングタイミングと同期するようになされている。  
これにより、ＬＥＤの点滅処理をＣＰＵの定期処理に合わせるので、ＣＰＵの負担の軽減を図ることができる。  
また、消灯時間を変更する消灯時間変更制御部１７によって２４時間後に消灯時間Ｔ２が２倍に変更されるので、より消費電力の低減を図ることができる。
【００３８】
また、未応答報知用ＬＥＤ８の未応答時の点灯が、イベントの内容を確認したときの確認操作に基づき消灯するので、かかる消灯を自動的に行うことができるという効果が得られる。  
また、この場合の消灯は、消灯キー２０によっても行うことができるので、使用状況に応じた使い方ができるという利点がある。
【００３９】
また、特定の発呼者から着信したときのみ未応答報知用ＬＥＤ８を点灯することができるので、不要な応答、急ぐ必要のない応答を排除できるという利点がある。  
また、一方の筐体３を目視することによって着信報知用ＬＥＤ７と未応答報知用ＬＥＤ８との双方の表示を確認することができ、表示の認識が容易にできるという利点がある。
【００４０】
上述したように、携帯電話機１においては、呼出信号の着信、メール等のイベントの発生を高い認識率をもって確認することができる。
【００４１】
なお、上記の実施の形態においては、着信報知用ＬＥＤ７を筐体３の外面３Ａの下端部に設け、未応答報知用ＬＥＤ８を同外面３Ａの上端部寄りに設けたが、これらのＬＥＤの配置はこの形態に限られることなく、適宜選択してよい。  
例えば、これらＬＥＤのうち、いずれか一方を、筐体３に設けられたアンテナ９又はその近傍に配設してもよい。  
このように構成すれば、通常この種の携帯電話機はワイシャツのポケットに収納する場合が多く、アンテナ９を上方に位置させて収納することによって、ＬＥＤの点灯を高い認識率をもって確認することができる。
【図面の簡単な説明】
【００４２】
【図１】この発明の一実施形態に係る携帯端末装置を示す図であって、筐体を閉じた状態を示す斜視図である。
【図２】この発明の一実施形態に係る携帯端末装置を示す図であって、筐体を開いた状態を示す斜視図である。
【図３】この発明の一実施形態に係る携帯端末装置の構成を示すブロック図である。
【図４】この発明の一実施形態に係る携帯端末装置の未応答報知用ＬＥＤの点灯パターンを示すブロック図である。
【符号の説明】
【００４３】
１    携帯端末装置
２    第一の筐体
３    第二の筐体
７    着信報知用ＬＥＤ
８    未応答報知用ＬＥＤ
９    アンテナ
１６  基地局
１７  消灯時間変更制御部
１８  タイマー
１９  オン・オフ制御部
２０  消灯キー
２１  識別制御部
【図１】
2007228637.tif 000003
【図２】
2007228637.tif 000004
【図３】
2007228637.tif 000005
【図４】
2007228637.tif 000006